(57)【要約】【課題】  縦置型情報記録再生装置において、情報記録媒体を再生部へ搬送後に着実にクランプする。【解決手段】 筐体内に設けられ情報記録媒体を縦に載置した状態にて収容可能とする情報記録媒体収容手段と、前記情報記録媒体収容手段に隣接して設けられ、選択された前記情報記録媒体を再生する情報記録媒体再生手段と、前記情報記録媒体収容手段から選択された情報記録媒体を前記情報記録媒体再生手段に縦置のまま搬送する情報記録媒体搬送手段と、前記情報記録媒体再生手段に搬送された前記情報記録媒体を支持する支持部と、を含み、前記支持部は、搬送されてきた前記情報記録媒体が前記情報記録媒体再生手段にクランプされるまで一時的に前記情報記録媒体を載置支持する。【選択図】  図２３
2004158185.tif 000002
【特許請求の範囲】
【請求項１】
筐体内に設けられ情報記録媒体を縦に載置した状態にて収容可能とする情報記録媒体収容手段と、
前記情報記録媒体収容手段に隣接して設けられ、選択された前記情報記録媒体を再生する情報記録媒体再生手段と、
前記情報記録媒体収容手段から選択された情報記録媒体を前記情報記録媒体再生手段に縦置状態のまま搬送する情報記録媒体搬送手段と、
前記情報記録媒体再生手段に搬送された前記情報記録媒体を支持する支持部と、を含み、
前記支持部は、搬送されてきた前記情報記録媒体が前記情報記録媒体再生手段にクランプされるまで一時的に前記情報記録媒体を載置支持することを特徴とする情報記録媒体再生装置。
【請求項２】
前記支持部は前記筐体上に移動可能に設けられた駆動カムに形成されてなり、
前記駆動カムと、搬送される前記情報記録媒体との相対移動に伴って、クランプ後の前記情報記録媒体から離脱するように構成されてなることを特徴とする請求項１に記載の情報記録媒体再生装置。
【発明の詳細な説明】
【技術分野】
【０００１】
本発明は、収納部に複数収納されているＣＤ等の情報記録媒体をスムーズにローディングする情報記録媒体再生装置に関する。
【背景技術】
【０００２】
近年、ＣＤ等の情報記録媒体の収容効率を高めるために、情報記録媒体再生装置本体内部に設けたラックに多くの情報記録媒体を収容するようにした情報記録媒体再生装置が普及している。このように情報記録媒体の収容効率を高めるようにした情報記録媒体再生装置として、本件特許出願人が先に出願した特願平８−２８３１０号には、図２５に示すように、円形状のラックを備えた情報記録媒体再生装置が提案されている。また、特開昭５９−１０４７５９号公報には、図２６及び図２７に示すような情報記録媒体再生装置が開示されている。
【０００３】
先ず、図２５に示した情報記録媒体再生装置について説明する。図中、符号１は情報記録媒体再生装置を構成する情報記録媒体再生装置本体を示し、この情報記録媒体再生装置本体１のシャーシベース２上にはルーレット機構部３が取り付けられている。そして、ルーレット機構部３のルーレットベース３ａの上面に円形状のルーレット台３ｂを回動自在に設け、ルーレット機構部３により回転運動をするようにしてある。ルーレット台３ｂの上面には支持軸３ｃの下端が取り付けられ、支持軸３ｃの上端にはセンターポスト５の下端が取り付けてある。このセンターポスト５には、複数のラック４ａ〜４ｅの中心孔４が互いに所定の間隔をおいて取り付けられている。また、センターポスト５の上端には扇状の扉６の回転軸６ａが回動自在に支持されている。
【０００４】
また、ルーレットベース３ａの上面には昇降可能に取り付けられたローディング機構７が設けられている。このローディング機構７の内部には、ＣＤ等の情報記録媒体Ｄを挟み込むためのアーム（図示せず）が起立状態で取り付けられている。そして、ローディング機構７の端部にはラック４ａ〜４ｅの情報記録媒体収納部４０に納まっている情報記録媒体Ｄを取り出すためのアーム７ａが水平状態に取り付けられている。
【０００５】
一方、シャーシベース２には、ケーシング８，背面板９及び操作パネル部１０が取り付けられるようになっている。操作パネル部１０の情報記録媒体Ｄの出し入れが行われる開口部１０ａは扇状の扉６によって開閉されるようになっている。
【０００６】
更に、各々のラック４ａ〜４ｅには切欠き部４１が設けられていて、ローディング機構７が上下方向へ移動する際、ローディング機構７のアーム７ａが何れのラック４ａ〜４ｅにも接触しないようになっている。また、ラック４ａ〜４ｅの裏面側には円周方向に外周検出板及び内周検出板を有したエンコーダ（図示せず）が配設されていて、エンコーダの外周検出板及び内周検出板を挟んだ位置に発光部及び受光部を有したセンサ（図示せず）を位置させて、このセンサの光検出によりラック４ａ〜４ｅにおける情報記録媒体Ｄの収納位置が識別されるようになっている。
【０００７】
上記の如く構成された情報記録媒体再生装置において、操作パネル部１０の選択ボタンによって再生すべき情報記録媒体Ｄを選択すると、ラック４ａ〜４ｅがセンターポスト５の回転により同期回転され、エンコーダ及びセンサによる情報記録媒体収納部４０の位置検出により、ローディング機構７の正面側にその情報記録媒体Ｄを収納している情報記録媒体収納部４０が位置決めされる。情報記録媒体収納部４０が位置決めされると、ローディング機構７のアーム７ａが情報記録媒体収納部４０の底部側から入り込むと同時に、このアーム７ａとローディング機構７内部の図示しないアームとにより情報記録媒体Ｄを挟み込んで、ローディング機構７側に取り込むことによって情報記録媒体Ｄの再生が行われる。
【０００８】
図２６及び図２７に示したものは、情報記録媒体再生装置のその他の例であり、上記従来例と同様のものには同一符号が付してある。情報記録媒体再生装置はフレーム１１内に回転自在に設けられた収容台１２を有すと共に収容台回動装置１３によって回動される。収容台１２には複数の情報記録媒体Ｄが収容されている。符号１４は保持台であって、この保持台１４上には、情報読み書き装置１５とアーム１６を駆動するためのアーム駆動装置１７とが取り付けられている。情報読み書き装置１５には情報記録媒体Ｄがスムーズに挿入されるためのガイド１５ａが設けられている。また、符号１８は情報記録媒体Ｄの挿入口を示し、符号１９はアーム１６の駆動用スクリューである。アーム１６には爪１６ａが取り付けられている。
【０００９】
上記の如く構成された情報記録媒体再生装置では、収容台１２に載置されている情報記録媒体Ｄの１つを選択すると、選択した情報記録媒体Ｄが情報読み書き装置１５の挿入口１８の前に位置するまで収容台回動装置１３が回転する。次に、アーム１６がアーム駆動装置１７により図中Ｘ方向に移動して、情報記録媒体Ｄをアーム１６により情報読み書き装置１５に挿入して、図中破線で示すｄの状態にする。ここで情報の読み取り書き込みが行われた後、情報読み書き装置１５自体の保有する機構により情報記録媒体Ｄの一部が挿入口１８から飛び出した形態になる。そこで、アーム１６に設けた図示しない検出手段により情報記録媒体Ｄがアーム１６に接触しているか否かを検出する。接触している場合には図示しないソレノイドにより爪１６ａを図中ｙ方向へ回転し、情報記録媒体Ｄを掴持する。一方、接触していない場合にはアーム１６はアーム駆動装置１７により図中Ｘ方向へ情報記録媒体Ｄが接触するまで移動され、その接触を検出すると同時に前記同様爪１６ａにて情報記録媒体Ｄを掴持する。それから、アーム１６はアーム駆動装置１７により図中Ｘ´方向へ移動され、情報記録媒体Ｄは収容台１２上の元の位置に収容されて一連の動作が完了する。
【発明の開示】
【発明が解決しようとする課題】
【００１０】
従来の縦置き型の情報記録媒体再生装置は、情報記録媒体をいわゆる縦置きにして再生部へ搬送し、さらに縦置き状態にて情報記録媒体の再生を行いえるが、縦置きの状態にて再生部へ情報記録媒体を搬送後にクランプする際、うまくクランプされないことがあった。
【課題を解決するための手段】
【００１１】
本発明のうち請求項１記載の発明は、筐体内に設けられ情報記録媒体を縦に載置した状態にて収容可能とする情報記録媒体収容手段と、前記情報記録媒体収容手段に隣接して設けられ、選択された前記情報記録媒体を再生する情報記録媒体再生手段と、前記情報記録媒体収容手段から選択された情報記録媒体を前記情報記録媒体再生手段に縦置状態のまま搬送する情報記録媒体搬送手段と、前記情報記録媒体再生手段に搬送された前記情報記録媒体を支持する支持部と、を含み、前記支持部は、搬送されてきた前記情報記録媒体が前記情報記録媒体再生手段にクランプされるまで一時的に前記情報記録媒体を載置支持することを特徴とする。
【００１２】
請求項２記載の発明は、請求項１記載の発明において前記支持部は前記筐体上に移動可能に設けられた駆動カムに形成されてなり、前記駆動カムと、搬送される前記情報記録媒体との相対移動に伴って、クランプ後の前記情報記録媒体から離脱するように構成されてなることを特徴としている。
【発明を実施するための最良の形態】
【００１３】
以下、本発明の一実施例を添付した図面に沿って説明する。なお、従来例と同様のものについては、同一の符号が付してある。先ず、図１乃至図５において、符号１００は筐体を示し、この筐体１００の基盤であるラックベース１１０上には、情報記録媒体収容手段としてドーナツ状のディスクホルダー１２０が回転自在に設けられている。このディスクホルダー１２０は上向きに開放している緩やかな半円弧形状の情報記録媒体収納部を備えており、複数の情報記録媒体Ｄを放射状に載置可能とすべく複数の縦スリット１２１が設けられている。図３に示すように、ディスクホルダー１２０の略中心部近傍のラックベース１１０上にはディスクホルダー１２０を回動させるラック駆動部１３０の回転動力源になる回転モータ１３１が取り付けてあって、この回転モータ１３１の出力軸にプーリ１３２が取り付けてあり、このプーリ１３２とラックベース１１０に軸支されたギヤプーリ１３４との間にＶベルト１３３が張架されている。ギヤプーリ１３４と同軸である小ギヤ１３５はラックベース１１０に軸支された減速ギヤ１３６に噛み合っており、この減速ギヤ１３６と同軸に設けた小ギヤ１３７にはラックベース１１０に軸支された駆動ギヤ１３８が噛み合っている。この駆動ギヤ１３８はディスクホルダー１２０の内周縁部に形成してあるラック１２２に噛み合っている。
【００１４】
図２及び図３に示すように、このディスクホルダー１２０の略中心部近傍にあたるラックベース１１０上面には情報記録媒体Ｄをローディングする機構を有したギヤ駆動部１４０が設けてあり、情報記録媒体Ｄのローディングの動力源、つまり後述する駆動アーム１７０の動力源及び情報記録媒体再生手段としての情報記録媒体再生部３００の開閉動力源となるローディングモータ１５１がギヤホルダー１５０に取り付けてあって、ローディングモータ１５１の出力軸にプーリ１５２が取り付けてあり、このプーリ１５２とギヤホルダー１５０に軸支されたギヤプーリ１５４との間にＶベルト１５３が張架されている。ギヤプーリ１５４と同軸の小ギヤ１５５は、ギヤホルダー１５０に軸支された減速ギヤ１５６に噛み合っており、この減速ギヤ１５６と同軸に設けた小ギヤ１５７は、ギヤホルダー１５０に軸支された減速ギヤ１５８に噛み合っており、この減速ギヤ１５８と同軸に設けた小ギヤ１５９はギヤホルダー１５０に軸支された円形駆動カム１６０に噛み合っている。この円形駆動カム１６０の片側面にある突起部１６１を、枢軸１７１により軸支された駆動アーム１７０の片面側にあるカム溝部１７２に摺接係合させて、円形駆動カム１６０の回転に伴い枢軸１７１を中心として駆動アーム１７０を搖動可能にすると共に、円形駆動カム１６０の他側面の環状溝１６２には、スライドプレート１８０の端部に設けたガイドピン１８１を嵌合させて、円形駆動カム１６０の回転に伴いスライドプレート１８０を往復移動可能としている。
【００１５】
図３に示すように、スライドプレート１８０はディスクホルダー１２０の下面側のラックベース１１０上に位置しているもので、ラックベース１１０に穿設してあるガイド溝１１１に、スライドプレート１８０の下面側に突設させているガイドピン１８２を摺接係合させて、スライドプレート１８０がラックベース１１０に穿設してある挿入溝１１２内で往復動可能としている。スライドプレート１８０の他端部には、押圧片１９０の動きを制御する縦溝状の凹陥部１８３が上向きに設けてある。押圧片１９０の側面にはガイドピン１９１が突設されていてスライドプレート１８０の凹陥部１８３に遊嵌されている。一方、このガイドピン１９１とは逆の向きで押圧片１９０の他側面に突設されているガイドピン１９２は、後述する押圧片保持台２００の軸孔２０１に嵌っている。そして、スライドプレート１８０の往復動に伴って押圧片１９０がガイドピン１９２を中心に部分的な円弧運動を行い得るようになっている。また、押圧片１９０には情報記録媒体Ｄを挟み込むためのＶ溝１９３と、情報記録媒体Ｄとその情報記録媒体Ｄに隣接する情報記録媒体Ｄ'との外周縁の隙間に楔状に打ち込んで隙間をディスクホルダー１２０の円周方向に押し拡げるようにした側面１９４とを設ける。さらに、押圧片１９０には縦溝の案内溝１９５を設けると共に、その案内溝１９５内に後述する搬送用アーム２５０の先端であるガイド部２５５を挿通させるようにする。
【００１６】
一方、下端部をディスクホルダー１２０の略中心部内のラックベース１１０上に取り付けられたクランプ支柱２１０の上端部と、下端部をディスクホルダー１２０の外周面側のラックベース１１０上に取り付けられた押圧片保持台２００の側面部とにかけて、左右一対からなるガイドＬ２２０、ガイドＲ２３０をディスクホルダー１２０の上部を跨ぐような形態で架設する。図４に示すように、ガイドＬ２２０の内側のガイドＲ２３０への対向面には、図示しない逃げ溝を有し、且つ部分円弧形状からなるガイド溝２２１が設けてある。このガイド溝２２１には、ガイド用アーム２６０の端部に設けたガイドピン２６１が摺接可能に遊嵌される。さらに、ガイドＲ２３０のガイドＬ２２０への対向面にも図示しない逃げ溝を有し、且つ部分円弧形状からなるガイド溝２３１を設けて、駆動アーム１７０の先端と連結している中間アーム２４０の端部に位置する小孔２４１と情報記録媒体搬送手段としての搬送用アーム２５０の中間部近傍付近に位置する小孔２５１とを挿通しているガイド用アーム２６０の他端部に設けたガイドピン２６２が摺接可能に遊嵌される。
【００１７】
また、搬送用アーム２５０は、その両端部に記録媒体搬送用係合部として搬送用係合部２５２ａ，２５２ｂをそれぞれ配設し、このうち搬送用係合部２５２ａには、選択された情報記録媒体Ｄに隣接する情報記録媒体Ｄ'の外周縁にのみ摺接する傾斜部２５３と情報記録媒体Ｄの外周縁に係合する位置にＶ溝２５４とを設けるようにする（図４参照）。そして、搬送用係合部２５２ａと搬送用係合部２５２ｂとによって情報記録媒体Ｄを保持しながら側方転回させてディスクホルダー１２０から引き出すと共に、後述するディスクガイド３１０のＶ形溝３１１を摺通させて、ディスクホルダー１２０の略中心部にある情報記録媒体再生手段としての情報記録媒体再生部３００に送り込むようになっている。さらに、上記の搬送用アーム２５０の最先端部には、位置決め手段としての機能を備えるガイド部２５５を設ける。このガイド部２５５は、厚さの薄い平板状に形成されている（図４、図５参照）。そして、ガイド部２５５は、情報記録媒体Ｄの情報記録媒体再生部３００に向けての搬送が開始される前までは、上記の押圧片１９０に設けられた案内溝１９５に挿通されている。この結果、搬送用アーム２５０の位置決めを確実なものとし、もって、搬送用アーム２５０の作動により情報記録媒体Ｄの情報記録媒体再生部３００に向けての搬送が開始される際に、搬送用係合部２５２ａ、２５２ｂがディスクホルダー１２０に収納されている搬送対象となった情報記録媒体Ｄの外周縁に正確に係合されることとなる。
【００１８】
図５に示すように、一点鎖線２６３はガイド用アーム２６０の端部に位置するガイドピン２６１がガイドＬ２２０のガイド溝２２１に沿って移動した軌跡を示すと共に、二点鎖線２６４はガイド用アーム２６０の他端部に位置するガイドピン２６２がガイドＲ２３０のガイド溝２３１に沿って移動した軌跡を示している。そして、ガイドＬ２２０及びガイドＲ２３０のガイド溝２２１，２３１に沿ってガイド用アーム２６０が移動する際に搬送用アーム２５０の搬送用係合部２５２ａが描く軌跡は、再生しようとする情報記録媒体Ｄに隣接する情報記録媒体Ｄ'の外周縁に沿った略円弧状軌跡２５６となるように習性が付与されている。
【００１９】
図３に示すように、ディスクホルダー１２０の略中心部のラックベース１１０上の挿入溝１１３には平形駆動カム２７０が往復直線移動だけを許容されて配設されている。この平形駆動カム２７０はローディングモータ１５１を動力源とするもので、図示しないセンサ系及び駆動系により作動される。平形駆動カム２７０の上面にはクランパホルダー２８０及びサーボメカ２９０からなる情報記録媒体再生部３００の開閉作動を拘束するための２つのガイド溝２７１，２７２が形成されている。そして、クランプ支柱２１０に開閉自在に軸支されているクランパホルダー２８０及びサーボメカ２９０の各下部に突設されている各ガイドピン２８１，２９１が平形駆動カム２７０のガイド溝２７１，２７２にそれぞれ摺接可能に嵌合させることにより、平形駆動カム２７０の往復直線移動に伴ってクランパホルダー２８０及びサーボメカ２９０が開閉作動するようになっている。このクランパホルダー２８０及びサーボメカ２９０の開閉作動は、搬送された情報記録媒体Ｄをそれぞれ片面側から圧着すると共に回転駆動するものであって、サーボメカ２９０には情報記録媒体Ｄを再生する、図示しない光ピックアップやスピンドルモータ等が搭載されている。
【００２０】
更に、ディスクホルダー１２０の略中心部のラックベース１１０上には、ディスクガイド３１０及び円形のカバー３２０が配設されている。このカバー３２０には切欠部３２１が設けてあり、ディスクガイド３１０の一部分と密着するように配慮されている（図３参照）。ディスクガイド３１０は、ディスクホルダー１２０内に縦に載置されている情報記録媒体Ｄをラックベース１１０の略中心部に側方転回させて引き込みをする際に情報記録媒体Ｄを案内する案内体であって、そのため情報記録媒体Ｄを摺通するＶ形溝３１１が設けてあり、このＶ形溝３１１の底面３１２に情報記録媒体Ｄの外周縁が摺接するようにしてある。そして、Ｖ形溝３１１の底面の一部には傾斜部３１３が形成してある（図６参照）。
【００２１】
図３に示すように、ラックベース１１０にセンサホルダー３３０とセンサーステー３４０とを対向するように取付けると共に、センサホルダー３３０に取り付けた図示しないセンサとセンサーステー３４０に取り付けた図示しない受光部とにより、ディスクホルダー１２０上に載置されている情報記録媒体Ｄの有無を検出する情報記録媒体有無検知用のセンサを形成するようにする。ところで、符号３５０はディスクホルダー１２０のアドレス用の検出センサであり、ディスクホルダー１２０の下面に設けた図示しない反射面の幅と周期とによってディスクホルダー１２０のアドレスを検出するものである。
【００２２】
次に、本発明の情報記録媒体再生装置の動作状態について図６乃至図１５を用いて説明する。なお、図６以降は、ディスクチェンジャー機構の動作状態を説明するために構成の一部を省略しているため、構成の省略してある部分は他図を参照していただきたい。まず、図６は、情報記録媒体Ｄのアンローディング状態の側面図であって、円形駆動カム１６０の回転位置により駆動アーム１７０は枢軸１７１を中心として最も起立した位置を保持してガイド用アーム２６０をガイド溝２２１，２３１に沿った図中右端に位置させている。同時に、円形駆動カム１６０の回転位置によりスライドプレート１８０も図中右端に位置させていて、スライドプレート１８０の凹陥部１８３に嵌っている押圧片１９０を押圧片保持台２００の軸孔２０１に嵌っているガイドピン１９２を中心に反時計方向に円弧運動させて傾動させた状態を維持させている。このとき、情報記録媒体再生部３００のクランパホルダー２８０及びサーボメカ２９０は開動作したままの状態を維持している。
【００２３】
次に、図示しない操作パネルの選択ボタンにより、再生すべき情報記録媒体Ｄを選択指示する。情報記録媒体Ｄの選択指示が実行されると、ラック駆動部１３０が駆動される。すなわち、回転モータ１３１の始動による回転は、プーリ１３２，Ｖベルト１３３，ギヤプーリ１３４，小ギヤ１３５，減速ギヤ１３６，小ギヤ１３７，駆動ギヤ１３８へと伝達され、ディスクホルダー１２０のラック１２２を回転させて、図示しない情報記録媒体有無検知用のセンサとアドレス用検出センサ３５０とにより情報記録媒体再生部３００の正面位置に情報記録媒体Ｄが位置したことの判別が行われるとディスクホルダー１２０の回転が停止される。そして、情報記録媒体Ｄのローディングの動力源、つまり駆動アーム１７０の動力源及び情報記録媒体再生部３００の開閉動力源になるローディングモータ１５１の回転によりギヤ駆動部１４０を駆動して、情報記録媒体Ｄのローディングを行う。
【００２４】
ローディングモータ１５１の始動による回転は、プーリ１５２，Ｖベルト１５３，ギヤプーリ１５４，小ギヤ１５５，減速ギヤ１５６，小ギヤ１５７，減速ギヤ１５８，小ギヤ１５９を介して円形駆動カム１６０へと伝達される。そして、円形駆動カム１６０が反時計方向に回転を始めると、円形駆動カム１６０の環状溝１６２に嵌っているスライドプレート１８０のガイドピン１８１が環状溝１６２に沿いながら図中左方向に移動を始めるにつれて、スライドプレート１８０が図中左方向に直線運動を開始する。すると、スライドプレート１８０の凹陥部１８３に遊嵌されている押圧片１９０のガイドピン１９１も図中左方向に直線運動を開始することによって、押圧片１９０が押圧片保持台２００の軸孔２０１に係合しているガイドピン１９２を中心に時計方向に円弧運動を起こす（図１２参照）。
【００２５】
なおも、円形駆動カム１６０が反時計方向に回転を続けていくと、押圧片１９０の先端のＶ溝１９３が情報記録媒体Ｄの外周縁を挟み込むのと同時に、押圧片１９０の先端の側面１９４が情報記録媒体Ｄと、その情報記録媒体Ｄに隣接する情報記録媒体Ｄ'との間に楔状に入り込んで、再生したい情報記録媒体Ｄと、その情報記録媒体Ｄに隣接する情報記録媒体Ｄ'との間隔をディスクホルダー１２０の円周方向に押し拡げる（図１３参照）。この状態で、押圧片１９０の図示せぬ一部がディスクホルダー１２０の一部分に係合することにより、情報記録媒体Ｄのローディング、アンローディング時、ならびに情報記録媒体Ｄの演奏時にディスクホルダー１２０が微動しないようになっている。
【００２６】
そして、円形駆動カム１６０が反時計方向に回転を続けても、円形駆動カム１６０の環状溝１６２の形状によりスライドプレート１８０の位置は図中左方向に移動したままの状態を維持するようになっている（図１３、図１４参照）。このときに、図１５（ａ）、（ｂ）に示すように、円形駆動カム１６０の突起部１６１が、駆動アーム１７０の側面にあるカム溝部１７２のカム溝１７２ａを挿通している間は突起部１６１の描く軌跡とカム溝１７２ａとが同一円心上にあるため駆動アーム１７０は動作していない。
【００２７】
さらに、円形駆動カム１６０が反時計方向に回転を続けると、図１５（ｃ）に示すように、円形駆動カム１６０の突起部１６１がカム溝部１７２の略直線状のカム溝１７２ｂを挿通し始めるので、図７に示すように駆動アーム１７０は枢軸１７１を中心に反時計方向に円弧運動を始める。そして、駆動アーム１７０が反時計方向に円弧運動するにつれて、駆動アーム１７０が中間アーム２４０を介して、ガイド用アーム２６０及び搬送用アーム２５０を作動させる。このときにガイド用アーム２６０のガイドピン２６１はガイドＬ２２０のガイド溝２２１に沿って、また、ガイド用アーム２６０のガイドピン２６２はガイドＲ２３０のガイド溝２３１に沿って作動する。
【００２８】
再生したい情報記録媒体Ｄと、その情報記録媒体Ｄに隣接する情報記録媒体Ｄ'との間隔をディスクホルダー１２０の円周方向に押圧片１９０が拡げたままの状態で、図８に示すように、まず、搬送用アーム２５０の搬送用係合部２５２ａ、２５２ｂがディスクホルダー１２０に載置されている情報記録媒体Ｄの外周縁に当接すると共に、次に図９に示すように、ディスクホルダー１２０から情報記録媒体Ｄを引出し、且つ側方転回させながらディスクガイド３１０のＶ形溝３１１に摺通し、底面３１２及び傾斜部３１３上を情報記録媒体Ｄの外周縁を摺接させて図中左方向に移動させた後、図１０に示すように、情報記録媒体Ｄは情報記録媒体再生部３００に送り込まれる。このとき、円形駆動カム１６０と駆動アーム１７０との位置関係は図１５（ｄ）に示してあるように突起部１６１がカム溝１７２ｂに入り込んでいる状態である。そして、情報記録媒体再生部３００に情報記録媒体Ｄを送り込んで所定の位置に情報記録媒体Ｄを載置した後、図１５（ｅ）に示すように、突起部１６１がカム溝１７２ｃに入り込むことより駆動アーム１７０を更に作動させる。すると、図１１に示すように、搬送用アーム２５０の搬送用係合部２５２ａ、２５２ｂは情報記録媒体Ｄの外周縁から離脱すると共に、搬送用アーム２５０のガイド部２５５の先端は情報記録媒体Ｄに隣接する情報記録媒体Ｄ'間に挿入したままの状態を保持しており、情報記録媒体Ｄに隣接する情報記録媒体Ｄ'間から離脱してはいない。そして、上記した状態になると図示しないセンサによりローディングモータ１５１の回転を停止して、搬送用アーム２５０の動作が停止される。
【００２９】
また、同時に、円形駆動カム１６０は、図示しない駆動系により平形駆動カム２７０を図中右方向に平行移動させ、平形駆動カム２７０のガイド溝２７１，２７２に挿通しているクランパホルダー２８０のガイドピン２８１及びサーボメカ２９０のガイドピン２９１を摺動させることによりクランパホルダー２８０及びサーボメカ２９０を閉動作して、搬送用アーム２５０によって側方転回の状態でディスクホルダー１２０から送り込まれた情報記録媒体Ｄをクランプする。そして、情報記録媒体再生部３００による情報記録媒体Ｄの再生が可能となる。
【００３０】
一方、再生を終了した情報記録媒体Ｄをディスクホルダー１２０の元の位置に搬送する場合は、図６乃至図１１に示した手順を逆に辿っていけばよい。先ず、図示しない操作パネルの選択ボタンにより、情報記録媒体Ｄの搬送を選択指示する。情報記録媒体Ｄの搬送を指示すると、ローディングモータ１５１の逆回転始動により平形駆動カム２７０がギヤ駆動部１４０によって図３中左方向に直線移動する。すると、平形駆動カム２７０のガイド溝２７１，２７２に挿通しているクランパホルダー２８０のガイドピン２８１及びサーボメカ２９０のガイドピン２９１が摺動して上記クランパホルダー２８０及びサーボメカ２９０を開動作し始める。
【００３１】
ローディングモータ１５１の逆回転始動により円形駆動カム１６０も同時に逆回転を始め、図１５（ｅ）に示すように、円形駆動カム１６０の突起部１６１が駆動アーム１７０のカム溝１７２ｃ内を１７２ｂに向かって挿通し始めると、搬送用アーム２５０は上部停止位置から徐々に下降を始め、図１０に示すように、搬送用アーム２５０の搬送用係合部２５２ａ，２５２ｂが再び情報記録媒体Ｄの外周縁に係合して保持すると、情報記録媒体Ｄの両側からクランパホルダー２８０及びサーボメカ２９０が離脱して情報記録媒体Ｄのクランプが解除される。
【００３２】
円形駆動カム１６０がなおも図中時計方向に回転を継続すると、図１５（ｃ）に示すように、突起部１６１はカム溝１７２ｂの先端に位置しながら駆動アーム１７０を図中時計方向に作動させると共に、ガイド用アーム２６０のガイドピン２６１はガイドＬ２２０のガイド溝２２１に沿って、また、ガイド用アーム２６０のガイドピン２６２はガイドＲ２３０のガイド溝２３１に沿って作動させる。すると、図９に示すように、搬送用アーム２５０は情報記録媒体Ｄを情報記録媒体再生部３００から引出し、情報記録媒体Ｄを側方転回させながらディスクガイド３１０のＶ形溝３１１を摺通させ、傾斜部３１３及び底面３１２上を情報記録媒体Ｄの外周縁を摺接させてディスクホルダー１２０側に搬送する。この情報記録媒体Ｄをディスクホルダー１２０へ戻し動作においては、その動作開始以前に、既にガイド部２５５の先端部のみは、情報記録媒体Ｄを戻す位置に隣接している情報記録媒体Ｄ'間に位置している。これは、前述した通り、情報記録媒体Ｄの情報記録媒体再生部３００への搬送完了後にも、ガイド部２５５の先端部を情報記録媒体Ｄに隣接していた情報記録媒体Ｄ'間に挿入させたままの状態を保持させたことによるものである。これによって、搬送用アーム２５０が確実に情報記録媒体Ｄ'間に導かれることとなる。このようにして、搬送用アーム２５０のガイド部２５５の先端が選択した情報記録媒体Ｄに隣接する情報記録媒体Ｄ'の間に深く分け入って導通し、さらに、搬送用アーム２５０の傾斜部２５３が隣接する情報記録媒体Ｄ'の上部の外周縁に沿って摺接を開始して、情報記録媒体Ｄに隣接する情報記録媒体Ｄ'間の上部間隔をディスクホルダー１２０の円周方向にさらに押し拡げながら図中右方向の元の搬送位置上部へ移動する。
【００３３】
そして、その拡がった間隔内を搬送用アーム２５０の搬送用係合部２５２ａ，２５２ｂに係合している情報記録媒体Ｄが挿通し、情報記録媒体Ｄの外周縁がディスクホルダー１２０の外周側から徐々に挿入され、その後半では、ガイド部２５５が押圧片１９０の案内溝１９５に挿通されることにより、搬送用アーム２５０の位置決めが確実になされ、もって、搬送用アーム２５０の搬送用係合部２５２ａ，２５２ｂに係合している情報記録媒体Ｄはディスクホルダー１２０上の搬送前の元の収納位置に確実に収納される（図８参照）。
【００３４】
情報記録媒体Ｄをディスクホルダー１２０上の搬送前の元の収納位置に収納して搬送が終了すると、図７に示したように、搬送用アーム２５０の搬送用係合部２５２ａ，２５２ｂが情報記録媒体Ｄの外周縁から離脱し、搬送用アーム２５０はその作動を停止する。そして、円形駆動カム１６０は更に時計方向の回転を続けることにより、円形駆動カム１６０の環状溝１６２に嵌っているスライドプレート１８０のガイドピン１８１が環状溝１６２に沿いながら図中右方向に移動を開始してスライドプレート１８０を図中右方向に直線移動させる。すると、図６に示すように、スライドプレート１８０の凹陥部１８３に遊着している押圧片１９０のガイドピン１９１も図中右方向に直線移動を開始し、上記押圧片１９０はガイドピン１９２を中心に反時計方向に円弧運動を起こし、情報記録媒体Ｄとその情報記録媒体Ｄに隣接する情報記録媒体Ｄ'との間に楔状に入り込んでいた押圧片１９０はそれぞれの外周縁から離脱すると共に、押圧片１９０の図示せぬ一部がディスクホルダー１２０の一部分から離脱して、ディスクホルダー１２０は再び回動自在の状態となる。そして、上記の状態になったら、図示せぬセンサーがローディングモータ１５１の回転を停止させて、情報記録媒体Ｄの搬送は終了する。
【００３５】
次に、本発明の他実施例を図１６及び図１７を用いて説明する。図１６に示したものは、本発明の情報記録媒体再生装置の他実施例による要部構成を説明するためのものであって、ガイドピン１９２を中心に円弧運動をする上記実施例の押圧片１９０の代わりに、別構成としたローディング機構の押圧片１９０がスライドプレート１８０の往復運動に伴って平行スライド運動を行い得るような動作構造にして、情報記録媒体Ｄとその情報記録媒体Ｄに隣接する情報記録媒体Ｄ'との間に楔状に挿抜させるようにした構成を有するものである。その他の構成については、上記実施例と略同様な構成を有している。また、図１７は、図１６中のＡ−Ａ矢視図である。なお、上記実施例と同様のものについては、便宜上同一の符号を用いると共に、図１６以降は上記実施例と略同様な構成の一部は省略して記載してあるため、構成の省略してある箇所は図１乃至図５を参照していただきたい。
【００３６】
先ず、他実施例は上記実施例と略同様な構成を有し、符号１００は筐体を示し、この筐体１００の基盤であるラックベース１１０上には、ドーナツ状のディスクホルダー１２０が回転自在に設けられている（図１参照）。このディスクホルダー１２０の略中心部内のラックベース１１０上には、情報記録媒体Ｄをローディングする機構を有したギヤ駆動部１４０が設けてあり、情報記録媒体Ｄのローディングの動力源、つまり後述する駆動アーム１７０の動力源及び情報記録媒体再生手段としての情報記録媒体再生部３００の開閉動力源となるローディングモータ１５１がギヤホルダー１５０に取り付けてあって、そのローディングモータ１５１の出力軸にプーリ１５２が取り付けてあり、該プーリ１５２とギヤホルダー１５０に軸支されたギヤプーリ１５４との間にＶベルト１５３が張架されている。前記ギヤプーリ１５４と同軸の小ギヤ１５５は、ギヤホルダー１５０に軸支された減速ギヤ１５６に噛み合っており、この減速ギヤ１５６と同軸に設けた小ギヤ１５７は、ギヤホルダー１５０に軸支された減速ギヤ１５８に噛み合っており、この減速ギヤ１５８と同軸に設けた小ギヤ１５９はギヤホルダー１５０に軸支された円形駆動カム１６０に噛み合っている（図２乃至図３参照）。
【００３７】
図１６に示すように、円形駆動カム１６０の一側面側にある突起部１６１は、ギヤホルダー１５０の枢軸１５０ａにより軸支された駆動アーム１７０（図示せず）の片面側にあるカム溝部１７２に係合している。ギヤホルダー１５０の枢軸１５０ａには図示しないコイルバネが配設されており、駆動アーム１７０が起立状態を維持する方向に付勢する習性を付与している。一方、突起部１６１の他側面側にも突起部１６３を突設させる。この突起部１６３は後述する平形駆動カム２７０の突起部挿通溝２７４内を摺動係合することにより平形駆動カム２７０を往復動させるものである。また、円形駆動カム１６０の本体の他側面に設けられた渦巻き状の環状溝１６２には、後述するリンク３６０の略中間となる位置に設けた係合ピン３６２が摺接係合している（図２２参照）。
【００３８】
バルジ加工を中央部に施したスライドプレート１８０は、ディスクホルダー１２０の略下面側にあたるラックベース１１０上に位置しているもので、ラックベース１１０上に設けてあるガイドピン１１３がスライドプレート１８０に穿設してあるガイド溝１８４に摺接係合することにより、スライドプレート１８０がガイドピン１１３に沿って往復移動可能となっている。そして、スライドプレート１８０の一端部には、押圧片１９０が配設されている。この押圧片１９０の上部位置には情報記録媒体Ｄを挟み込むためのＶ溝１９３と、情報記録媒体Ｄとその情報記録媒体Ｄに隣接する情報記録媒体Ｄ'との外周縁の隙間に楔状に打ち込んで隙間をディスクホルダー１２０の円周方向に押し拡げるようにした側面１９４とを設け、また、下部位置にはディスクホルダー１２０の最外周縁部に放射状となるように設けてある複数のスリット（図示せず）間に楔状に打ち込んでディスクホルダー１２０を微動しないように固定する楔部材１９６とを設ける（図２０参照）。また、スライドプレート１８０の他端部の垂直方向に折り曲げた側片部１８５には、このスライドプレート１８０を往復動させる後述構成のリンク３６０の下端にある移動用ピン３６３が遊嵌されている。
【００３９】
リンク３６０は桿状部材であって、その上端には枢軸３６１が一方向に突設させてあり、ギヤホルダー１５０の係合孔１５０ｂに搖動可能に嵌挿されるようになっている。また、リンク３６０の略中間位置には係合ピン３６２が一方向に突設させてあり、この係合ピン３６２がギヤホルダー１５０の横長の挿通孔１５０ｃ内を挿通し、且つギヤホルダー１５０の枢軸１５０ｄにより軸支されている円形駆動カム１６０の片面に設けられている渦巻状の環状溝１６２に摺接係合するようになっている（図２２参照）。更にまた、リンク３６０の下端には移動用ピン３６３が他方向に突設されてあって、スライドプレート１８０の他端部の側片部１８５に設けた縦長の挿通孔１８６に摺接可能に係合している。上記構成により、円形駆動カム１６０の回転はリンク３６０を介してスライドプレート１８０を往復動可能とすることができる。つまり、円形駆動カム１６０の回転は、環状溝１６２に沿って係合ピン３６２を搖動させることにより枢軸３６１を搖動中心としてリンク３６０を搖動させると共に、この搖動するリンク３６０の下端に位置する移動用ピン３６３がスライドプレート１８０を往復動させるものである。
【００４０】
また、ディスクホルダー１２０の略中心部のラックベース１１０上の挿入溝１１３に平形駆動カム２７０が往復直線移動だけを許容されて配置されている。詳述すると、平形駆動カム２７０の下面に２個の突出ピン２７３を下向きに突設しておき、この突出ピン２７３をラックベース１１０上に穿設してある挿通孔（図示はしないが、情報記録媒体Ｄの搬送方向と同一方向となるように直線状に設けてある）に摺接係合させる。更に、平形駆動カム２７０の上面にある突出部材には、縦溝状の突起部挿通溝２７４を設けるようにして、円形駆動カム１６０の回転に伴って突起部１６３が突起部挿通溝２７４に入り込むと共に、溝内に摺接係合しながら平形駆動カム２７０を往復直線移動させるようにしたものである。また、突起部挿通溝２７４の上端開口縁は、突起部１６３を容易に挿脱可能とするために溝径よりも若干拡径させてある。
【００４１】
更に、平形駆動カム２７０の上面には傾斜部２７５ａを有する凹溝状のディスク支持部２７５を設ける。このディスク支持部２７５は搬送されてきた情報記録媒体Ｄが情報記録媒体再生部３００にクランプされるまで一時的に載置支持するものであって、平形駆動カム２７０と情報記録媒体Ｄとの相対移動に伴って、クランプ後の情報記録媒体Ｄからは積極的に離脱するように構成されている。
【００４２】
次に、上記構成とした情報記録媒体再生装置の電気／信号ラインの配置について図１８を用いて説明する。同図において、ＣＰＵやその周辺回路等を搭載した基盤であるメインボードＭＢを情報記録媒体再生装置の筐体１００内における最奥部（紙面の上方側）に位置させると共に、ガイドＬ２２０，ガイドＲ２３０等の高さのある構成部材に当接干渉しない筐体１００の上方位置に配置固定する。この配置構成により、ディスクホルダー１２０を筐体１００内において最大径とすることが可能となり、ディスクホルダー１２０のディスク収納枚数を増加させることができるという効果を奏する。
【００４３】
また、メインボードＭＢには複数の電気／信号ライン用フレキ配線（以下フレキ配線という）が接続されている。図中、メインボードＭＢの右端に接続されているフレキ配線Ｌ１から時計回りに説明する。
【００４４】
まず、フレキ配線Ｌ１は、筐体１００の前面側に位置するフロントグリル１０１に出力端子と接続されているヘッドホン出力用配線であり、このフレキ配線Ｌ１と並設されて、フロントグリル１０１に位置している図示しないフード開閉スイッチと接続されているのはフレキ配線Ｌ２のフード開閉用制御配線である。次に、フレキ配線Ｌ３は、情報記録媒体Ｄのローディング動力源を制御するローディング制御用配線であり、このフレキ配線Ｌ３と並設されているのは、ＬＥＤ制御用配線Ｌ４である。また、フレキ配線Ｌ５は光ピックアップ制御用配線、フレキ配線Ｌ６はスピンドルモータ制御用配線、フレキ配線Ｌ７はセレクト制御用配線であり、各端子（図示せず）とそれぞれのフレキ配線が接続されている。そして、フレキ配線Ｌ８はフロントグリル１０１に位置しているコントロールボード（図示せず）と接続されているコントロールボード制御用配線である。更に、フレキ配線Ｌ９は本体に電源を供給するパワーボード（図示せず）に接続している配線である。
【００４５】
なお、図中符号３７０，３８０はガイドサポートＬ，Ｒをそれぞれ示し、ガイドＬ２２０又はガイドＲ２３０の他端とラックベース１１０上面とを連結固定するものである。これらのガイドサポートＬ３７０とガイドサポートＲ３８０とはそれぞれ対称形状であって、ガイドサポートＬ３７０とガイドサポートＲ３８０により形成されている対向側面間の案内溝に押圧片１９０が位置するようになっていると共に、搬送用アーム２５０のガイド部２５５が挿通されている。また、上記構成とした電気／信号ライン配線は、前者の実施例にも適用することができる。
【００４６】
次に、本発明による情報記録媒体再生装置の動作状態について図１９乃至図２１を用いて説明する。まず、図１９は、情報記録媒体Ｄのアンローディング状態の側面図であって、円形駆動カム１６０の位置により駆動アーム１７０はギヤホルダー１５０の枢軸１５０ａを回動中心として最も起立した位置を保ち、ガイド用アーム２６０をガイド溝２２１，２３１に沿った図中右端に位置させるようにしている。同時に、円形駆動カム１６０の位置によりスライドプレート１８０も図中右端に位置するようになっている。
【００４７】
次に、図示しない操作パネルの選択ボタンにより再生すべき情報記録媒体Ｄを選択指示する。情報記録媒体Ｄの選択指示が行われると、ラック駆動部１３０が駆動されて情報記録媒体再生部３００の正面位置に情報記録媒体Ｄが位置するとディスクホルダー１２０の回転が停止される。
【００４８】
次に、ローディングモータ１５１の始動による回転は、各部材を介して円形駆動カム１６０へと伝達され、円形駆動カム１６０が反時計方向に回転を始める。そして、円形駆動カム１６０の環状溝１６２に嵌っている係合ピン３６２が、枢軸３６１を搖動中心としてリンク３６０を時計回り方向に円弧運動を開始させることにより、搖動ピン３６３がスライドプレート１８０を図中左方向に直線移動させる。すると、押圧片１９０の楔部材１９６がディスクホルダー１２０の最外周縁部に設けてあるスリット間に係合することにより、情報記録媒体Ｄのローディング、アンローディング時ならびに情報記録媒体演奏時にディスクホルダー１２０が微動しないように確実に固定される。そして、押圧片１９０の先端のＶ溝１９３及びその側面１９４が情報記録媒体Ｄと、その情報記録媒体Ｄに隣接する情報記録媒体Ｄ'との間に楔状に入り込んで、再生したい情報記録媒体Ｄと、その情報記録媒体Ｄに隣接する情報記録媒体Ｄ'との間隔をディスクホルダー１２０の円周方向に押し拡げる。
【００４９】
そして、円形駆動カム１６０が更に反時計方向に回転を続けても、円形駆動カム１６０の環状溝１６２の形状によりスライドプレート１８０の位置は図中左方向に移動したままの状態を保持している（図２３参照）。この際に、円形駆動カム１６０の突起部１６１が駆動アーム１７０の側面にあるカム溝部１７２のカム溝１７２ａを挿通中は、突起部１６１の描く軌跡とカム溝１７２ａとが同一円心上にあるため駆動アーム１７０は動作しない（図１５（ａ），（ｂ）参照）。
【００５０】
さらに、円形駆動カム１６０が反時計方向に回転を続けると、円形駆動カム１６０の突起部１６１が、駆動アーム１７０の側面にあるカム溝部１７２の略直線状のカム溝１７２ｂを挿通し始めるので（図１５（ｃ）参照）、駆動アーム１７０はギヤホルダー１５０に軸支された枢軸１５０ａを中心に反時計方向に円弧運動を始める。そして、駆動アーム１７０が反時計方向に円弧運動するにつれて、駆動アーム１７０が中間アーム２４０を介して、ガイド用アーム２６０及び搬送用アーム２５０を作動させる。このときにガイド用アーム２６０のガイドピン２６１はガイドＬ２２０のガイド溝２２１に沿って、また、ガイド用アーム２６０のガイドピン２６２はガイドＲ２３０のガイド溝２３１に沿って作動する。
【００５１】
押圧片１９０のＶ溝１９３及びその側面１９４が再生したい情報記録媒体Ｄと、その情報記録媒体Ｄに隣接する情報記録媒体Ｄ'との間隔をディスクホルダー１２０の円周方向に拡げている状態で、搬送用アーム２５０の搬送用係合部２５２ａ，２５２ｂがディスクホルダー１２０に縦に載置されている情報記録媒体Ｄの外周縁に摺接してディスクホルダー１２０から情報記録媒体Ｄを引出すと共に側方転回させながら移動させる。この時、ガイド部２５５は、ガイドサポートＲ３８０と、これと対称形状であるガイドサポートＬ３７０（図１８参照）とにより形成されている案内溝に挿通されている。この結果、搬送用アーム２５０の位置決めを確実なものとし、もって、搬送用アーム２５０の作動により情報記録媒体Ｄの情報記録媒体再生部３００に向けての搬送が開始される際に、搬送用係合部２５２ａ，２５２ｂがディスクホルダー１２０に収納されている搬送対象となった情報記録媒体Ｄの外周縁に正確に係合されることとなる。またこの時、情報記録媒体Ｄの外周縁はディスクガイド３１０の傾斜部３１３上を摺接している。そして、円形駆動カム１６０の回転が続行されることにより突起部１６３が平形駆動カム２７０の突起部挿通溝２７４の上部開口から溝内に入り込むと共に、この突起部挿通溝２７４内を挿通し始めることにより、平形駆動カム２７０を図中右方向に移動させる。そして、移動している平形駆動カム２７０のディスク支持部２７５上に搬送途中の情報記録媒体Ｄの外周縁が相対移動しながら摺接している状態となり、図２０に示したように、情報記録媒体Ｄは更に図中左方向に移動させられて情報記録媒体再生部３００に送り込まれる。この時、円形駆動カム１６０と駆動アーム１７０との位置関係は、図１５（ｄ）に示してあるように突起部１６１がカム溝１７２ｂに入り込んでいる状態である。
【００５２】
情報記録媒体再生部３００に情報記録媒体Ｄを送り込んで所定の位置に情報記録媒体Ｄを載置した後、図１５（ｅ）に示すように、突起部１６１はカム溝１７２ｃに入り込んで駆動アーム１７０を更に作動させている。すると、図２１に示すように、搬送用アーム２５０の搬送用係合部２５２ａ，２５２ｂは情報記録媒体Ｄの外周縁からそれぞれ離脱するが、搬送用アーム２５０のガイド部２５５の先端は、ディスクホルダー１２０上に載置されている情報記録媒体Ｄに隣接する情報記録媒体Ｄ'間に挿入している状態を保持し、情報記録媒体Ｄに隣接する情報記録媒体Ｄ'間から離脱することはない。この時、駆動アーム１７０はそのカム溝形状により作動を停止させるようになっているが、円形駆動カム１６０の回転は継続している。
【００５３】
円形駆動カム１６０により平形駆動カム２７０が図中右方向に平行移動し、平形駆動カム２７０のガイド溝２７１，２７２に挿通しているクランパホルダー２８０のガイドピン２８１及びサーボメカ２９０のガイドピン２９１を摺動させて上記クランパホルダー２８０及びサーボメカ２９０を閉動作する。そして、送り込まれた情報記録媒体Ｄの両側面をクランパホルダー２８０とサーボメカ２９０とによりセンタリングしてクランプすると共に、情報記録媒体Ｄの外周縁とディスク支持部２７５とは相対移動しながらそれぞれ積極的に離脱していくことにより、情報記録媒体再生部３００による情報記録媒体Ｄの再生が可能となる。なお、この動作については先の実施例と同一の動作を行うものである。
【００５４】
一方、再生を終了した情報記録媒体Ｄをディスクホルダー１２０の元の位置に搬送する場合は、図１９乃至図２１に示した手順を逆に辿っていけばよい。先ず、図示しない操作パネルの選択ボタンにより、情報記録媒体Ｄの搬送を選択指示する。情報記録媒体Ｄの搬送を指示すると、ローディングモータ１５１の逆回転始動により平形駆動カム２７０がギヤ駆動部１４０によって図２１中、左方向に直線移動することにより、搬送用アーム２５０の搬送用係合部２５２ａ，２５２ｂが再び情報記録媒体Ｄの外周縁に係合すると共に、情報記録媒体Ｄの両側面からクランパホルダー２８０及びサーボメカ２９０が離脱して情報記録媒体Ｄのクランプが解除される。そして、一旦離脱していたディスク支持部２７５の図中左方向移動により、情報記録媒体Ｄは再度ディスク支持部２７５上に載置支持される。そして、搬送用アーム２５０は情報記録媒体Ｄを情報記録媒体再生部３００から引出し、情報記録媒体Ｄを側方転回させながら平形駆動カム２７０のディスク支持部２７５上を摺接させながらディスクホルダー１２０側に搬送する。この時、ガイド部２５５は、ガイドサポートＲ３８０と、これと対称形状であるガイドサポートＬ３７０（図１８参照）により形成されている案内溝に挿通されることにより、搬送用アーム２５０の位置決めが確実になされ、もって、搬送用アーム２５０の搬送用係合部２５２ａ，２５２ｂに係合している情報記録媒体Ｄはディスクホルダー１２０上の搬送前の元の収納位置に確実に収納される。
【００５５】
情報記録媒体Ｄをディスクホルダー１２０上の搬送前の元の収納位置に収納すると、搬送用アーム２５０の搬送用係合部２５２ａ，２５２ｂが情報記録媒体Ｄの外周縁から離脱して搬送用アーム２５０はその作動を停止する。そして、円形駆動カム１６０は更に時計方向の回転を続けることにより、円形駆動カム１６０の環状溝１６２に嵌っているリンク３６０がスライドプレート１８０を図中左方向に直線移動させる。すると、情報記録媒体Ｄとその情報記録媒体Ｄに隣接する情報記録媒体Ｄ'との間に楔状に入り込んでいた押圧片１９０のＶ溝１９３及びその側面１９４はそれぞれの外周縁から離脱すると共に、押圧片１９０の楔部材１９６がディスクホルダー１２０の最外周縁のスリット間から離脱して、ディスクホルダー１２０は再び回動自在の状態となる。そして、図示せぬセンサーによりローディングモータ１５１の回転が停止されて情報記録媒体Ｄの搬送は終了する。
以上のように、本発明では、簡単な構造で収容枚数増加に対応でき、しかも小型化、低コストに構成できる。また、隣接する情報記録媒体の記録面を傷つけないで情報記録媒体のローディングがよりスムーズに行えることができる。
【図面の簡単な説明】
【００５６】
【図１】本発明の情報記録媒体再生装置の一実施例の形態に係わる概略斜視図である。
【図２】図１に示した情報記録媒体再生装置の概略を説明するための側面図である。
【図３】図１に示した情報記録媒体再生装置を説明するために、ガイドＬ、Ｒ及び駆動アーム等を一部省略した概略平面図である。
【図４】図１に示した情報記録媒体再生装置の情報記録媒体搬送手段を説明するための平面組立図である。
【図５】図１に示した情報記録媒体再生装置の搬送用アーム及びガイド用アームの各端部の軌跡を示した側面図である。
【図６】本発明の情報記録媒体再生装置における情報記録媒体のアンローディング状態を示す側面図である。
【図７】本発明の情報記録媒体再生装置によって情報記録媒体を情報記録媒体再生部にローディングさせている途中過程を示す側面図である。
【図８】本発明の情報記録媒体再生装置によって情報記録媒体を情報記録媒体再生部にローディングさせている途中過程を示す側面図である。
【図９】本発明の情報記録媒体再生装置によって情報記録媒体を情報記録媒体再生部にローディングさせている途中過程を示す側面図である。
【図１０】本発明の情報記録媒体再生装置によって情報記録媒体を情報記録媒体再生部にローディングさせている途中過程を示す側面図である。
【図１１】本発明の情報記録媒体再生装置によって情報記録媒体を情報記録媒体再生部にローディングさせた状態を示す側面図である。
【図１２】本発明の情報記録媒体再生装置の円形駆動カムの回転に伴う押圧片の動作を説明するための説明図である。
【図１３】本発明の情報記録媒体再生装置の円形駆動カムの回転に伴う押圧片の動作を説明するための説明図である。
【図１４】本発明の情報記録媒体再生装置の円形駆動カムの回転に伴う押圧片の動作を説明するための説明図である。
【図１５】本発明の情報記録媒体再生装置の円形駆動カムの回転に伴う駆動アームの動作を説明するための説明図である。
【図１６】本発明の情報記録媒体再生装置の他実施例による要部構成を説明するための概略説明図である。
【図１７】図１６中のＡ−Ａ矢視図である。
【図１８】本発明の情報記録媒体再生装置の他実施例による電気／信号ラインの配置を説明するための平面図である。
【図１９】本発明の情報記録媒体再生装置の他実施例による情報記録媒体のアンローディング状態を示す側面図である。
【図２０】本発明の情報記録媒体再生装置の他実施例によって情報記録媒体を情報記録媒体再生部にローディングさせている途中過程を示す側面図である。
【図２１】本発明の情報記録媒体再生装置の他実施例によって情報記録媒体を情報記録媒体再生部にローディングさせた状態を示す側面図である。
【図２２】本発明の情報記録媒体再生装置の他実施例による円形駆動カムの回転に伴う押圧片及び平形駆動カムの動作を説明するための側面図である。
【図２３】本発明の情報記録媒体再生装置の他実施例による円形駆動カムの回転に伴う押圧片及び平形駆動カムの動作を説明するための側面図である。
【図２４】本発明の情報記録媒体再生装置の他実施例による円形駆動カムの回転に伴う押圧片及び平形駆動カムの動作を説明するための側面図である。
【図２５】円形状のラックを備えた従来の情報記録媒体再生装置を示す斜視図である。
【図２６】従来の情報記録媒体再生装置を示す斜視図である。
【図２７】図２６の概略側面図である。
【符号の説明】
【００５７】
Ｄ    情報記録媒体
Ｄ´    情報記録媒体Ｄに隣接する情報記録媒体
ＭＢ    メインボード          １００    筐体          １１０    ラックベース
１２０    ディスクホルダー          １３０    ラック駆動部
１４０    ギヤ駆動部          １５０    ギヤホルダー
１６０    円形駆動カム          １７０    駆動アーム
１８０    スライドプレート          １９０    押圧片
２００    押圧片保持台          ２１０    クランプ支柱
２２０    ガイドＬ          ２３０    ガイドＲ          ２４０    中間アーム
２５０    搬送用アーム
２５２ａ、２５２ｂ    搬送用係合部          ２５３    傾斜部
２５６    略円弧状軌跡          ２６０    ガイド用アーム
２７０    平形駆動カム          ２８０    クランパホルダー
２９０    サーボメカ          ３００    情報記録媒体再生部
３１０    ディスクガイド          ３６０    リンク
３７０    ガイドサポートＬ          ３８０    ガイドサポートＲ
【図１】
2004158185.tif 000003
【図２】
2004158185.tif 000004
【図３】
2004158185.tif 000005
【図４】
2004158185.tif 000006
【図５】
2004158185.tif 000007
【図６】
2004158185.tif 000008
【図７】
2004158185.tif 000009
【図８】
2004158185.tif 000010
【図９】
2004158185.tif 000011
【図１０】
2004158185.tif 000012
【図１１】
2004158185.tif 000013
【図１２】
2004158185.tif 000014
【図１３】
2004158185.tif 000015
【図１４】
2004158185.tif 000016
【図１５】
2004158185.tif 000017
【図１６】
2004158185.tif 000018
【図１７】
2004158185.tif 000019
【図１８】
2004158185.tif 000020
【図１９】
2004158185.tif 000021
【図２０】
2004158185.tif 000022
【図２１】
2004158185.tif 000023
【図２２】
2004158185.tif 000024
【図２３】
2004158185.tif 000025
【図２４】
2004158185.tif 000026
【図２５】
2004158185.tif 000027
【図２６】
2004158185.tif 000028
【図２７】
2004158185.tif 000029
【手続補正書】
【提出日】平成16年1月8日(2004.1.8)
【手続補正１】
【補正対象書類名】特許請求の範囲
【補正対象項目名】全文
【補正方法】変更
【補正の内容】
【特許請求の範囲】
【請求項１】
筐体内に設けられ情報記録媒体を縦に載置した状態にて収容可能とする情報記録媒体収容手段と、
前記情報記録媒体収容手段に隣接して設けられ、選択された前記情報記録媒体に記録された情報を再生する情報記録媒体再生手段と、
前記情報記録媒体収容手段から選択された情報記録媒体を前記情報記録媒体再生手段に縦置のまま搬送する情報記録媒体搬送手段と、
前記情報記録媒体再生手段に搬送された前記情報記録媒体を支持する支持部と、を含み、
前記支持部は移動可能に構成されてなり、搬送されてきた前記情報記録媒体が前記情報記録媒体再生手段の情報記録媒体再生部にクランプされるまで一時的に前記情報記録媒体を載置支持することを特徴とする情報記録媒体再生装置。
【請求項２】
前記支持部は前記筐体上に移動可能に設けられた駆動カムに形成されてなり、
前記駆動カムと、搬送される前記情報記録媒体との相対移動に伴って、クランプ後の前記情報記録媒体から離脱するように構成されてなることを特徴とする請求項１に記載の情報記録媒体再生装置。
【手続補正２】
【補正対象書類名】明細書
【補正対象項目名】００１１
【補正方法】変更
【補正の内容】
【００１１】
本発明のうち請求項１記載の発明は、筐体内に設けられ情報記録媒体を縦に載置した状態にて収容可能とする情報記録媒体収容手段と、前記情報記録媒体収容手段に隣接して設けられ、選択された前記情報記録媒体に記録された情報を再生する情報記録媒体再生手段と、前記情報記録媒体収容手段から選択された情報記録媒体を前記情報記録媒体再生手段に縦置のまま搬送する情報記録媒体搬送手段と、前記情報記録媒体再生手段に搬送された前記情報記録媒体を支持する支持部と、を含み、前記支持部は移動可能に構成されてなり、搬送されてきた前記情報記録媒体が前記情報記録媒体再生手段の情報記録媒体再生部にクランプされるまで一時的に前記情報記録媒体を載置支持することを特徴とする。